(57)【要約】【課題】コストを低減可能な空気質表示システム及び空気質調整システムを提供する。【解決手段】空気質表示システムは、集合住宅を構成する複数の住居で共有され、複数の住居の外部に配置され、複数の住居の外部の空気質を検出して当該外部空気質を示す外部空気質信号を出力する外部空気質センサ３を備える。空気質表示システムは、各住居の内部に配置され、当該住居の内部の空気質を検出して当該内部空気質を示す内部空気質信号を出力する内部空気質センサ５を備える。空気質表示システムは、各住居に配置され、外部空気質信号が示す外部空気質に関する情報及び当該内部空気質信号が示す内部空気質に関する情報を表示器４に表示させるコントローラ１を備える。外部空気質信号は、集合住宅が備える集合住宅内ネットワーク２を介して各住居のコントローラ１に伝達される。【選択図】図１
2015152300.tif 000002
【特許請求の範囲】
【請求項１】
空気質を表示する空気質表示システムであって、
集合住宅を構成する複数の住居で共有され、前記複数の住居の外部に配置され、前記複数の住居の外部の空気質を検出して当該外部空気質を示す外部空気質信号を出力する外部空気質センサと、
各住居の内部に配置され、当該住居の内部の空気質を検出して当該内部空気質を示す内部空気質信号を出力する内部空気質センサと、
各住居に配置され、前記外部空気質信号及び当該住居の前記内部空気質センサから出力された内部空気質信号が入力され、前記外部空気質信号が示す外部空気質に関する情報及び当該内部空気質信号が示す内部空気質に関する情報を表示器に表示させるコントローラと、を備え、
前記外部空気質信号は、前記集合住宅が備える集合住宅内ネットワークを介して各住居の前記コントローラに伝達される、
空気質表示システム。
【請求項２】
空気質を調整する空気質調整システムであって、
集合住宅を構成する複数の住居で共有され、前記複数の住居の外部に配置され、前記複数の住居の外部の空気質を検出して当該外部空気質を示す外部空気質信号を出力する外部空気質センサと、
各住居の内部に配置され、当該住居の内部の空気質を検出して当該内部空気質を示す内部空気質信号を出力する内部空気質センサと、
各住居に配置され、前記外部空気質信号及び当該住居の前記内部空気質センサから出力された内部空気質信号が入力され、両信号に基づいて全熱交換器及びエアコンの運転の制御を行うコントローラと、を備え、
前記外部空気質信号は、前記集合住宅が備える集合住宅内ネットワークを介して各住居の前記コントローラに伝達される、
空気質調整システム。
【請求項３】
前記外部空気質センサは、前記住居の外部の空気質として、前記住居の外部の気温を検出し、
前記内部空気質センサは、前記住居の内部の空気質として、前記住居の内部の気温を検出し、
前記コントローラは、前記全熱交換器及び前記エアコンを冷房機器として利用する場合において、前記外部空気質信号が示す住居の外部の気温が前記内部空気質信号が示す内部の気温より高いときは、前記エアコンを運転し、前記外部空気質信号が示す住居の外部の気温が前記内部空気質信号が示す住居の内部の気温より低いときは、前記全熱交換器を運転する、
請求項２記載の空気質調整システム。
【請求項４】
前記外部空気質センサは、前記住居の外部の空気質として、前記住居の外部の気温を検出し、
前記内部空気質センサは、前記住居の内部の空気質として、前記住居の内部の気温を検出し、
前記コントローラは、前記全熱交換器及び前記エアコンを暖房機器として利用する場合において、前記外部空気質信号が示す住居の外部の気温が前記内部空気質信号が示す住居の内部の気温より低いときは、前記エアコンを運転し、前記外部空気質信号が示す住居の外部の気温が前記内部空気質信号が示す住居の内部の気温より高いときは、前記全熱交換器を運転する、
請求項２記載の空気質調整システム。
【請求項５】
前記外部空気質センサは、前記住居の外部の空気質として、さらに前記住居の外部の空気汚染度を検出し、
前記コントローラは、前記外部空気質信号が示す前記住居の外部の空気汚染度が所定値より大きいときは、前記エアコンを運転する、
請求項２から４のいずれか１項に記載の空気質調整システム。
【請求項６】
前記内部空気質センサは、前記住居の内部の空気質として、さらに前記住居の内部の空気汚染度を検出し、
前記コントローラは、前記内部空気質信号が示す前記住居の内部の空気汚染度が所定値より大きいときは、前記全熱交換器を運転する、
請求項２から４のいずれか１項に記載の空気質調整システム。
【請求項７】
前記コントローラは、前記外部空気質信号が示す外部空気質に関する情報及び当該住居の前記内部空気質センサから出力された当該内部空気質信号が示す内部空気質に関する情報を表示器に表示させる、
請求項２記載の空気質調整システム。
【請求項８】
空気質を表示する空気質表示システムにおける空気質表示方法であって、
前記空気質表示システムは、
集合住宅を構成する複数の住居で共有され、前記複数の住居の外部に配置された外部空気質センサと、
各住居の内部に配置された内部空気質センサと、
空気質に関する情報を表示器に表示させるコントローラと、を備えたものであり、
前記外部空気質センサにおいて、
前記複数の住居の外部の空気質を検出して当該外部空気質を示す外部空気質信号を出力し、
前記内部空気質センサにおいて、
各住居の内部の空気質を検出して当該内部空気質を示す内部空気質信号を出力し、
前記コントローラにおいて、
前記外部空気質信号及び当該住居の前記内部空気質センサから出力された内部空気質信号を入力し、前記外部空気質信号が示す外部空気質に関する情報及び当該内部空気質信号が示す内部空気質に関する情報を前記表示器に表示させ、
前記外部空気質信号は、前記集合住宅が備える集合住宅内ネットワークを介して各住居の前記コントローラに伝達される、
空気質表示方法。
【請求項９】
空気質を調整する空気質調整システムにおける空気質調整方法であって、
前記空気質表示システムは、
集合住宅を構成する複数の住居で共有され、前記複数の住居の外部に配置された外部空気質センサと、
各住居の内部に配置された内部空気質センサと、
全熱交換器及びエアコンの運転の制御を行うコントローラと、を備えたものであり、
前記外部空気質センサにおいて、
前記複数の住居の外部の空気質を検出して当該外部空気質を示す外部空気質信号を出力し、
前記内部空気質センサにおいて、
各住居の内部の空気質を検出して当該内部空気質を示す内部空気質信号を出力し、
前記コントローラにおいて、
前記外部空気質信号及び当該住居の前記内部空気質センサから出力された内部空気質信号を入力し、両信号に基づいて全熱交換器及びエアコンの運転の制御を行い、
前記外部空気質信号は、前記集合住宅が備える集合住宅内ネットワークを介して各住居の前記コントローラに伝達される、
空気質調整方法。
【発明の詳細な説明】
【技術分野】
【０００１】
本発明は、空気質の表示及び調整を行うシステムに関する。
【背景技術】
【０００２】
特許文献１には、住居の外部に配置した室外機に、住居の外部の空気質を検出する外部空気質センサ（花粉センサ、紫外線センサ、ダストセンサ、温度センサ、気圧センサ）を設け、住居の内部に配置した室内機に、住居の内部の空気質を検出する内部空気質センサを設けた空調装置が開示されている。また、特許文献１には、空気質センサで検出した計測値を表示するリモコンが開示されている。
【０００３】
特許文献２には、住居の内部に、空調機と、熱交換器と、住居の内部の温度を検出する内部温度センサとを有し、住居の外部に、住居の外部の温度を検出する外部温度センサとを有し、室内温度センサにより検出された住居の内部の温度と外気温度センサにより検出された住居の外部の温度と住居の内部の設定温度とに基づいて空調機と熱交換器を制御する空調装置が開示されている。
【先行技術文献】
【特許文献】
【０００４】
【特許文献１】特開２００２−１８８８４４号公報
【特許文献２】特開２０１０−１８１０７８号公報
【発明の概要】
【発明が解決しようとする課題】
【０００５】
住居の外部と住居の内部にそれぞれ空気質センサを設けると、空調装置等のコストが高くなる。
【０００６】
本発明は、コストを低減可能な空気質表示システム及び空気質調整システムを提供する。
【課題を解決するための手段】
【０００７】
本発明の空気質表示システムは、空気質を表示する。空気質表示システムは、集合住宅を構成する複数の住居で共有され、複数の住居の外部に配置され、複数の住居の外部の空気質を検出して当該外部空気質を示す外部空気質信号を出力する外部空気質センサを備える。空気質表示システムは、各住居の内部に配置され、当該住居の内部の空気質を検出して当該内部空気質を示す内部空気質信号を出力する内部空気質センサを備える。空気質表示システムは、各住居に配置され、外部空気質信号及び当該住居の内部空気質センサから出力された内部空気質信号が入力され、外部空気質信号が示す外部空気質に関する情報及び当該内部空気質信号が示す内部空気質に関する情報を表示器に表示させるコントローラを備える。外部空気質信号は、集合住宅が備える集合住宅内ネットワークを介して各住居のコントローラに伝達される。
【０００８】
本発明の空気質調整システムは、空気質を調整する。空気質調整システムは、集合住宅を構成する複数の住居で共有され、複数の住居の外部に配置され、複数の住居の外部の空気質を検出して当該外部空気質を示す外部空気質信号を出力する外部空気質センサを備える。空気質調整システムは、各住居の内部に配置され、当該住居の内部の空気質を検出して当該内部空気質を示す内部空気質信号を出力する内部空気質センサを備える。空気質調整システムは、各住居に配置され、外部空気質信号及び当該住居の内部空気質センサから出力された内部空気質信号が入力され、両信号に基づいて全熱交換器及びエアコンの運転の制御を行うコントローラを備える。外部空気質信号は、集合住宅が備える集合住宅内ネットワークを介して各住居のコントローラに伝達される。
【０００９】
本発明の空気質調整システムにおいて、外部空気質センサは、住居の外部の空気質として、住居の外部の気温を検出し、内部空気質センサは、住居の内部の空気質として、住居の内部の気温を検出してもよい。コントローラは、全熱交換器及びエアコンを冷房機器として利用する場合において、外部空気質信号が示す住居の外部の気温が内部空気質信号が示す住居の内部の気温より高いときは、エアコンを運転し、外部空気質信号が示す住居の外部の気温が内部空気質信号が示す住居の内部の気温より低いときは、全熱交換器を運転してもよい。
【００１０】
本発明の空気質調整システムにおいて、外部空気質センサは、住居の外部の空気質として、住居の外部の気温を検出し、内部空気質センサは、住居の内部の空気質として、住居の内部の気温を検出してもよい。コントローラは、全熱交換器及びエアコンを暖房機器として利用する場合において、外部空気質信号が示す住居の外部の気温が内部空気質信号が示す住居の内部の気温より低いときは、エアコンを運転し、外部空気質信号が示す住居の外部の気温が内部空気質信号が示す住居の内部の気温より高いときは、全熱交換器を運転してもよい。
【００１１】
本発明の空気質調整システムにおいて、外部空気質センサは、住居の外部の空気質として、さらに住居の外部の空気汚染度を検出し、コントローラは、外部空気質信号が示す住居の外部の空気汚染度が所定値より大きいときは、エアコンを運転してもよい。
【００１２】
本発明の空気質調整システムにおいて、内部空気質センサは、住居の内部の空気質として、さらに住居の内部の空気汚染度を検出し、コントローラは、内部空気質信号が示す住居の内部の空気汚染度が所定値より大きいときは、全熱交換器を運転してもよい。
【００１３】
本発明の空気質調整システムにおいて、コントローラは、外部空気質信号が示す外部空気質に関する情報及び当該住居の内部空気質センサから出力された当該内部空気質信号が示す内部空気質に関する情報を表示器に表示させてもよい。
【発明の効果】
【００１４】
本発明によれば、コストを低減可能な空気質表示システム及び空気質調整システムを提供することができる。
【図面の簡単な説明】
【００１５】
【図１】実施形態１に係る空気質表示システムの構成の概要を示す図である。
【図２】実施形態１に係る空気質表示システムの機能的構成を示す図である。
【図３】実施形態１に係る空気質表示システムのコントローラ１の記憶部に記憶されているテーブルの構成を示す図である。
【図４】実施形態１に係る空気質表示システムのコントローラ１の動作シーケンスを示す図である。
【図５】実施形態２に係る空気質調整システムの構成の概要を示す図である。
【図６】実施形態２に係る空気質調整システムの構成を示す図である。
【図７】実施形態２に係る空気質調整システムのコントローラ１による夏季（冷房時）における制御動作を説明するフローチャートである。
【図８】実施形態２に係る空気質調整システムのコントローラ１による冬季（暖房時）における制御動作を説明するフローチャートである。
【図９】実施形態３に係る空気質調整システムのコントローラ１による夏季（冷房時）における制御動作を説明するフローチャートである。
【図１０】実施形態３に係る空気質調整システムのコントローラ１による冬季（暖房時）における制御動作を説明するフローチャートである。
【図１１】実施形態３に係る空気質調整システムのコントローラ１による夏季（冷房時）における制御動作を説明するフローチャートの別の例である。
【図１２】実施形態４に係る空気質調整システムのコントローラ１による夏季（冷房時）における制御動作を説明するフローチャートである。
【図１３】実施形態４に係る空気質調整システムのコントローラ１による冬季（暖房時）における制御動作を説明するフローチャートである。
【発明を実施するための形態】
【００１６】
本発明の実施形態について説明する。
【００１７】
（発明の背景）
従来、住居内の空気質(温度、湿度、ＣＯ２濃度、ＶＯＣなど)を空気質センサにより計測して表示端末で見ることはできたが、住居の外部の空気質情報をも得るためには、住居の外部の空気質を計測するための空気質センサを配置しなければならず、コストが増大するという課題があった。
【００１８】
また、ＷｅｂサイトやＴＶなどで得られる空気質に関する情報は市町村単位などの広い範囲のものであるため、自宅近辺における狭い範囲の空気質に関する情報を正確に把握することはできないという課題があった。
【００１９】
本発明は、コストを低減しつつ、住居の外部の空気質情報をも得ることが可能な空気質表示システム及び空気質調整システムを提供する。
【００２０】
また、本発明は、自宅近辺における狭い範囲の空気質を正確に検出可能な空気質表示システム、及び空気質調整システムを提供する。
【００２１】
（実施形態１）
１．構成
図１は、実施形態１に係る空気質表示システムの構成の概要を示す図である。
【００２２】
本実施形態の空気質表示システムは、集合住宅に対して適用可能なシステムである。空気質表示システムでは、集合住宅を構成する各住居内に、コントローラ１、表示器４、内部空気質センサ５が配置されている。集合住宅の共用部には、外部空気質センサ３が配置されている。外部空気質センサ３は、集合住宅が有する集合住宅内ネットワーク２を介して、コントローラ１に接続されている。
【００２３】
図２は、実施形態１に係る空気質表示システムの機能的構成を示す図である。
【００２４】
コントローラ１は、空気質表示システムの動作の制御を行う。コントローラ１は、住居外通信部１１、記憶部１２、住居内通信部１３を有する。
【００２５】
住居外通信部１１は、集合住宅内ネットワーク２を介して、外部空気質センサ３の住居外通信部３１を介して通信を行うことができる。
【００２６】
記憶部１２は、種々のデータを記憶する。
【００２７】
住居内通信部１３は、表示器４の住居内通信部４１及び内部空気質センサ５の住居内通信部５１と通信を行うことができる。
【００２８】
外部空気質センサ３は、住居の外部の空気質（以下、適宜「住居外の空気質」という）を検出する。外部空気質センサ３は、住居外通信部３１、住居外温湿度計測部３２、住居外空気汚染計測部３３を有する。
【００２９】
住居外通信部３１は、集合住宅内ネットワーク２を介して、コントローラ１の住居外通信部１１と通信を行うことができる。
【００３０】
住居外温湿度計測部３２は、集合住宅の共有部であって住居の外部の温度及び湿度（以下、適宜「住居外の温度及び湿度」という）を計測し、計測した温度及び湿度を示す信号を出力する。
【００３１】
住居外空気汚染計測部３３は、集合住宅の共有部であって、住居の外部の空気の汚染度（以下、適宜「住居外の空気の汚染度」という）を計測し、計測した空気の汚染度を示す信号を出力する。空気の汚染度とは、空気中におけるＶＯＣ濃度、ＣＯ２濃度、ＰＭ２．５濃度など、人体に悪影響を及ぼす汚染物質による汚染の度合いを示す値である。
【００３２】
内部空気質センサ５は、住居の内部の空気質（以下、適宜「住居内の空気質」という）を検出する。内部空気質センサ５は、住居内通信部５１、住居内温湿度計測部５２、住居内空気質汚染計測部５３を有する。
【００３３】
住居内通信部５１は、コントローラ１の住居内通信部１３と通信を行うことができる。
【００３４】
住居内温湿度計測部５２は、住居の内部の温度及び湿度（以下、適宜「住居内の温度及び湿度」という）を計測し、計測した温度及び湿度を示す信号を出力する。
【００３５】
住居内空気質汚染計測部５３は、住居の内部の空気の汚染度（以下、適宜「住居内の空気の汚染度」という）を計測し、計測した空気の汚染度を示す信号を出力する。空気の汚染度とは、空気中におけるＶＯＣ濃度、ＣＯ２濃度、ＰＭ２．５濃度など、人体に悪影響を及ぼす汚染物質による汚染の度合いを示す値である。
【００３６】
表示器４は、空気質に関する情報を表示する。表示器４は、住居内通信部４１、表示部４２を有する。
【００３７】
住居内通信部４１は、コントローラ１の住居内通信部１３と通信を行うことができる。
【００３８】
表示部４２は、コントローラ１から住居内通信部４１を介して受信した信号が示す空気質に関する情報を表示する。
【００３９】
図２に示すコントローラ１の各部の機能は、演算機能を有する情報処理装置により構成可能である。情報処理装置は、ハードウェアとして、ＣＰＵ、メモリ、通信インタフェース、操作部等を有する。メモリには、本実施形態における制御を実行可能とするためのプログラムやデータが記憶されている。これらのプログラムやデータを、ＣＰＵが通信インタフェース、操作部、表示部等と信号を授受しつつ実行することにより、図２に示すコントローラ１の機能が実現される。実施形態２〜４の各コントローラ１においても同様である。なお、実施形態２〜４においては、上記情報処理装置のメモリには、各実施形態における制御を実行可能とするためのプログラムやデータが記憶されている。
【００４０】
図３は、実施形態１に係る空気質表示システムのコントローラ１の記憶部１２に記憶されているテーブルの構成を示す図である。
【００４１】
コントローラ１の記憶部１２のテーブルには、所定時間間隔で住居外について計測した（１）時刻情報、住居外の気温、住居外の空気の汚染度、及び住居内について計測した（２）時刻情報、住居内の気温、住居内の空気の汚染度が記録される。
【００４２】
２．動作
空気質表示システムの動作を説明する。図４は、実施形態１に係る空気質表示システムのコントローラ１の動作シーケンスを示す図である。
【００４３】
外部空気質センサ３は、住居外の気温、空気の汚染度を計測する（Ｓ１０００）。
【００４４】
外部空気質センサ３は、計測した住居外の気温及び空気の汚染度を示す信号をコントローラ１に出力する（Ｓ１００１）。
【００４５】
コントローラ１は、外部空気質センサ３から受信した信号が示す住居外の気温及び空気の汚染度に関する情報を、現時刻に対応付けて記憶部１２に記憶する（Ｓ１００２）。
【００４６】
内部空気質センサ５は、住居内の気温及び空気の汚染度を計測する（Ｓ１００３）。
【００４７】
内部空気質センサ５は、計測した住居内の気温及び空気の汚染度を示す信号をコントローラ１に出力する（Ｓ１００４）。
【００４８】
コントローラ１は、内部空気質センサ５から受信した信号が示す住居内の気温及び空気の汚染度に関する情報を、現時刻に対応付けて記憶部１２に記憶する（Ｓ１００５）。
【００４９】
コントローラ１は、現時刻の住居外の気温及び空気の汚染度に関する情報、並びに住居内の気温及び空気の汚染度に関する情報を表示器４に出力する（Ｓ１００６）。
【００５０】
表示器４は、コントローラ１から受信した、現時刻の住居外の気温及び空気の汚染度に関する情報、並びに住居内の気温及び空気の汚染度に関する情報を表示する（Ｓ１００７）。
【００５１】
３．まとめ
【００５２】
本実施形態の空気質表示システムは、空気質を表示する。空気質表示システムは、集合住宅を構成する複数の住居で共有され、複数の住居の外部に配置され、複数の住居の外部の空気質を検出して当該外部空気質を示す外部空気質信号を出力する外部空気質センサ３を備える。空気質表示システムは、各住居の内部に配置され、当該住居の内部の空気質を検出して当該内部空気質を示す内部空気質信号を出力する内部空気質センサ５を備える。空気質表示システムは、各住居に配置され、外部空気質信号及び当該住居の内部空気質センサ５から出力された内部空気質信号が入力され、外部空気質信号が示す外部空気質に関する情報及び当該内部空気質信号が示す内部空気質に関する情報を表示器４に表示させるコントローラ１を備える。外部空気質信号は、集合住宅が備える集合住宅内ネットワーク２を介して各住居のコントローラ１に伝達される。
【００５３】
本実施形態の空気質表示システムにより、外部空気質センサ３を、集合住宅を構成する複数の住居で共有することができる。さらに、住居の外部に配置された外部空気質センサ３で検出された外部空気質信号を、集合住宅が備える集合住宅内ネットワーク２を利用して、コントローラ１の記憶部１２に伝達し、外部空気質信号が示す情報を表示器４に表示させることができる。そのため、空気質表示システムのコストを低減することができる。
【００５４】
また、本実施形態の空気質表示システムにより、自宅の住居が存在する集合住宅に配置された外部空気質センサ３により、自宅近辺における狭い範囲の空気質を正確に検出して、表示することができる。
【００５５】
４．本実施形態における他の例
表示器４は、コントローラ１との通信を行うことが可能な通信部を備えていればよく、専用端末でなく、タブレット端末、スマートフォン、ＴＶなどを利用して構成してもよい。
【００５６】
本実施形態では、内部空気質センサ５が住居内の空気質を計測するが、コントローラ１に住居内の空気質を計測する機能を設け、コントローラ１が住居内の空気質を計測してもよい。
【００５７】
ステップＳ１０００〜Ｓ１００２と、ステップＳ１００３〜Ｓ１００５の順序は逆であってもよい。
【００５８】
ステップＳ１００７で、表示器４は、気温や空気の汚染度を、数値やグラフで表示してもよいし、「換気をしてください」のようなアドバイスを表示してもよい。さらに、アドバイスを表示する場合、アドバイスの文言の判定をコントローラ１で行ってもよいし、表示器４で行ってもよい。
【００５９】
（実施形態２）
実施形態１の空気質表示システムでは、住居外の気温及び空気の汚染度に関する情報、並びに住居内の気温及び空気の汚染度に関する情報を表示するだけであったが、本実施形態の空気質調整システムでは、計測した住居外の気温及び空気の汚染度、並びに住居内の気温及び空気の汚染度に基づいてエアコン及び全熱交換器を制御する。
【００６０】
１．構成
図５は、実施形態２に係る空気質調整システムの構成の概要を示す図である。
【００６１】
本実施形態では、集合住宅を構成する各住居に、実施形態１の構成に加えてさらにエアコン６、全熱交換器７が配置されている。
【００６２】
図６は、実施形態２に係る空気質調整システムの機能的構成を示す図である。本実施形態では、コントローラ１は、住居外通信部１１、記憶部１２、住居内通信部１３に加え、さらに判断部１４を有する。判断部１４は、住居外通信部１１及び住居内通信部１３から受信したデータ、記憶部１２に記憶されているデータ等に基づいて、エアコン６及び全熱交換器７の運転制御に関する判断等を行う。
【００６３】
エアコン６は、住居内の空気質の調整を行う。エアコン６は、住居内通信部６１、被制御部６２を有する。
【００６４】
住居内通信部６１は、コントローラ１の住居内通信部１３と通信を行うことができる。
【００６５】
被制御部６２は、コントローラ１から住居内通信部６１を介して受信した制御信号に基づいて住居内の空気質の調整動作を行う。具体的に、被制御部６２は、コントローラ１から受信した制御信号に基づき、住居内の空気質の調整動作として、住居内の気温を上昇させる暖房運転、及び住居内の気温を低下させる冷房運転を行うことができる。冷房運転と暖房運転の切替は、コントローラ１から出力される制御信号に基づいて行われる。コントローラ１は、冷房運転と暖房運転とのいずれを行うかの判断を、ユーザ操作によりリモコン等の操作部から出力される信号に基づいて行ってもよいし、内部空気質センサ５から出力される内部空気質信号が示す気温に基づいて行ってもよい。例えば、コントローラ１は、内部空気質センサ５から出力される内部空気質信号が示す気温が第１の所定温度以上のときは冷房運転を行い、第１の所定温度未満のときは暖房運転を行ってもよい。
【００６６】
全熱交換器７は、コントローラ１から出力される制御信号に基づき、換気及び全熱交換を行う。全熱交換器７は、住居内通信部７１、被制御部７２を有する。
【００６７】
住居内通信部７１は、コントローラ１の住居内通信部１３と通信を行うことができる。
【００６８】
被制御部７２は、住居内通信部７１から受信した信号に基づいて換気及び全熱交換動作を行う。
【００６９】
２．動作
図７は、実施形態２に係る空気質調整システムのコントローラ１による夏季（冷房時）における制御動作を説明するフローチャートである。
【００７０】
コントローラ１は、記憶部１２から、住居外の気温を読み出す（Ｓ１１００）。
【００７１】
コントローラ１は、記憶部１２から、住居内の気温を読み出す（Ｓ１１０１）。
【００７２】
コントローラ１は、住居外の気温が住居内の気温より高いか否か判定する（Ｓ１１０２）。
【００７３】
住居外の気温が住居内の気温より高い場合（Ｓ１１０２でＹｅｓのとき）、コントローラ１は、エアコン６を動作させる（Ｓ１１０３）。これに対し、住居外の気温が住居内の気温より高くない場合（Ｓ１１０２でＮｏのとき）、コントローラ１は、全熱交換器７を動作させる（Ｓ１１０４）。
【００７４】
図８は、実施形態２に係る空気質調整システムのコントローラ１による冬季（暖房時）における制御動作を説明するフローチャートである。
【００７５】
コントローラ１は、ステップＳ１１００、Ｓ１１０１において、夏季（冷房時）同様、記憶部１２から、住居外の気温、及び住居内の気温を読み出す。
【００７６】
コントローラ１は、住居外の気温が住居内の気温より低いか否か判定する（Ｓ１１０５）。
【００７７】
住居外の気温が住居内の気温より低い場合（Ｓ１１０５でＹｅｓのとき）、コントローラ１は、エアコン６を動作させる（Ｓ１１０６）。これに対し、住居外の気温が住居内の気温より低くない場合（Ｓ１１０２でＮｏのとき）、全熱交換器７を動作させる（Ｓ１１０７）。
【００７８】
３．まとめ
本実施形態の空気質調整システムは、空気質を調整する。空気質調整システムは、集合住宅を構成する複数の住居で共有され、複数の住居の外部に配置され、複数の住居の外部の空気質を検出して当該外部空気質を示す外部空気質信号を出力する外部空気質センサ３を備える。空気質調整システムは、各住居の内部に配置され、当該住居の内部の空気質を検出して当該内部空気質を示す内部空気質信号を出力する内部空気質センサ５を備える。空気質調整システムは、各住居に配置され、外部空気質信号及び当該住居の内部空気質センサ５から出力された内部空気質信号が入力され、両信号に基づいて全熱交換器７及びエアコン６の運転の制御を行うコントローラ１を備える。外部空気質信号は、集合住宅が備える集合住宅内ネットワーク２を介して各住居のコントローラ１に伝達される。
【００７９】
本実施形態の空気質調整システムにより、外部空気質センサ３を、集合住宅を構成する複数の住居で共有することができる。さらに、住居の外部に配置された外部空気質センサ３で検出された外部空気質信号を、集合住宅が備える集合住宅内ネットワーク２を利用して、コントローラ１に伝達し、全熱交換器７及びエアコン６の運転を制御することができる。そのため、空気質調整システムのコストを低減することができる。
【００８０】
また、空気質調整のために全熱交換器７を利用することにより、空気質調整の際の消費電力量を低減することができる。
【００８１】
また、本実施形態の空気質調整システムにより、自宅の住居が存在する集合住宅に配置された外部空気質センサ３により、自宅近辺における狭い範囲の空気質を正確に検出して、空気質を調整することができる。
【００８２】
本実施形態の空気質調整システムにおいて、外部空気質センサ３は、住居の外部の空気質として、住居の外部の気温を検出し、内部空気質センサ５は、住居の内部の空気質として、住居の内部の気温を検出する。コントローラ１は、全熱交換器７及びエアコン６を冷房機器として利用する場合において、外部空気質信号が示す住居の外部の気温が内部空気質信号が示す住居の内部の気温より高いときは、エアコン６を運転し、外部空気質信号が示す住居の外部の気温が内部空気質信号が示す住居の内部の気温より高くないときは、全熱交換器７を運転する。
【００８３】
これにより、全熱交換器７及びエアコン６を冷房機器として利用する場合において、空気質調整のための消費電力量を低減することができる。
【００８４】
本実施形態の空気質調整システムにおいて、外部空気質センサ３は、住居の外部の空気質として、住居の外部の気温を検出し、内部空気質センサ５は、住居の内部の空気質として、住居の内部の気温を検出する。コントローラ１は、全熱交換器７及びエアコン６を暖房機器として利用する場合において、外部空気質信号が示す住居の外部の気温が内部空気質信号が示す住居の内部の気温より低いときは、エアコン６を運転し、外部空気質信号が示す住居の外部の気温が内部空気質信号が示す住居の内部の気温より低くないときは、全熱交換器７を運転する。
【００８５】
これにより、全熱交換器７及びエアコン６を暖房機器として利用する場合において、空気質調整のための消費電力量を低減することができる。
【００８６】
なお、本実施形態の空気質調整システムにおいても、コントローラ１は、外部空気質信号が示す外部空気質に関する情報及び当該住居の前記内部空気質センサ５から出力された当該内部空気質信号が示す内部空気質に関する情報を表示器４に表示させることができる。
【００８７】
これにより、ユーザは、表示器４での表示により、外部空気質に関する情報及び内部空気質に関する情報を把握することができる。
【００８８】
４．本実施形態における他の例
フローチャートのＳ１１００とＳ１１０１は逆の順序であってもよい。
【００８９】
（実施形態３）
実施形態２の空気質調整システムでは、住居外の気温及び住居内の気温に基づいてエアコン６及び全熱交換器７の運転を制御するが、本実施形態の空気質調整システムでは、住居外の気温及び住居内の気温に加え、さらに住居外の空気の汚染度に基づいて、エアコン６及び全熱交換器７の運転を制御する。
【００９０】
１．構成
実施形態３に係る空気質調整システムの構成は、実施形態２に係る空気質調整システムの構成と同じである。
２．動作
図９は、実施形態３に係る空気質調整システムのコントローラ１による夏季（冷房時）における制御動作を説明するフローチャートである。
【００９１】
図９のフローチャートでは、図７のフローチャートに対して、ステップＳ１２００、Ｓ１２０１が加えられている。
【００９２】
すなわち、ステップＳ１１０２で住居外の気温が住居内の気温より大きくない場合（Ｓ１１０２でＮｏのとき）、コントローラ１は、記憶部１２から、住居外の空気の汚染度を読み出す（Ｓ１２００）。
【００９３】
コントローラ１は、読み出した住居外の空気の汚染度が、所定値より大きいか否か判定する（Ｓ１２０１）。
【００９４】
読み出した住居外の空気の汚染度が、所定値より大きい場合（Ｓ１２０１でＹｅｓ）、コントローラ１は、エアコン６を動作させる（Ｓ１１０３）。これに対し、空気の汚染度が、所定値より大きくない場合（Ｓ１２０１でＮｏのとき）、全熱交換器７を動作させる（Ｓ１１０４）。
【００９５】
図１０は、実施形態３に係る空気質調整システムのコントローラ１による冬季（暖房時）における制御動作を説明するフローチャートである。
【００９６】
コントローラ１は、ステップＳ１１００、Ｓ１１０１において、夏季（冷房時）同様、記憶部１２から、住居外の気温、及び住居内の気温を読み出す。
【００９７】
コントローラ１は、住居外の気温が住居内の気温より低いか否か判定する（Ｓ１１０５）。
【００９８】
ステップＳ１１０５で住居外の気温が住居内の気温より小さくない場合（Ｓ１１０５でＮｏのとき）、コントローラ１は、記憶部１２から、住居外の空気の汚染度を読み出す（Ｓ１２００）。
【００９９】
コントローラ１は、読み出した住居外の空気の汚染度が、所定値より大きいか否か判定する（Ｓ１２０１）。
【０１００】
読み出した住居外の空気の汚染度が、所定値より大きい場合（Ｓ１２０１でＹｅｓ）、コントローラ１は、エアコン６を動作させる（Ｓ１１０６）。これに対し、空気の汚染度が、所定値より大きくない場合（Ｓ１２０１でＮｏのとき）、コントローラ１は、全熱交換器７を動作させる（Ｓ１１０７）。
【０１０１】
３．まとめ
本実施形態の空気質調整システムにおいて、外部空気質センサ３は、住居の外部の空気質として、さらに住居の外部の空気汚染度を検出し、コントローラ１は、外部空気質信号が示す住居の外部の空気汚染度が所定値より大きいときは、エアコン６を運転する。
【０１０２】
これにより、外部空気質信号が示す住居の外部の空気汚染度が所定値より大きい場合、全熱交換器７の運転に代えてエアコン６が運転されるので、住居の外部の空気が取り入れられない。そのため、住居の内部の空気が住居の外部の空気により汚染されるのを抑制しつつ、住居内の気温の調整を行うことができる。
【０１０３】
なお、本実施形態の空気質調整システムにおいては、全熱交換器７は、熱交換機能を有していない一般的な換気扇であってもよい。
【０１０４】
なお、本実施形態の空気質調整システムにおいても、コントローラ１は、外部空気質信号が示す外部空気質に関する情報及び当該住居の前記内部空気質センサ５から出力された当該内部空気質信号が示す内部空気質に関する情報を表示器４に表示させることができる。
【０１０５】
これにより、ユーザは、表示器４での表示により、外部空気質に関する情報及び内部空気質に関する情報を把握することができる。
【０１０６】
４．本実施形態における他の例
フローチャートのＳ１２００を実行するタイミングは、Ｓ１１００〜Ｓ１１０２の間であってもよい。
【０１０７】
また、フローチャートのＳ１１００〜Ｓ１１０２と、Ｓ１２００〜Ｓ１２０１の順序は逆であってもよい。図１１にこの具体例を示すフローチャートを示す。
【０１０８】
図１１は、実施形態３に係る空気質調整システムのコントローラ１による夏季（冷房時）における制御動作を説明するフローチャートの別の例である。
【０１０９】
コントローラ１は、記憶部１２から、住居外の空気の汚染度を読み出す（Ｓ１２００）。
【０１１０】
コントローラ１は、読み出した住居外の空気の汚染度が、所定値より大きいか否か判定する（Ｓ１２０１）。
【０１１１】
読み出した住居外の空気の汚染度が、所定値より大きい場合（Ｓ１２０１でＮｏのとき）、コントローラ１は、エアコン６を動作させる（Ｓ１１０３）。
【０１１２】
これに対し、読み出した住居外の空気の汚染度が、所定値より大きくない場合（Ｓ１２０１でＮｏ）、コントローラ１は、記憶部１２から、住居外の気温を読み出す（Ｓ１１００）。さらに、コントローラ１は、記憶部１２から、住居内の気温を読み出す（Ｓ１１０１）。
【０１１３】
コントローラ１は、住居外の気温が住居内の気温より高いか否か判定する（Ｓ１１０２）。
【０１１４】
住居外の気温が住居内の気温より高い場合（Ｓ１１０２でＹｅｓのとき）、コントローラ１は、エアコン６を動作させる（Ｓ１１０３）。これに対し、住居外の気温が住居内の気温より高くない場合（Ｓ１１０２でＮｏのとき）、コントローラ１は、全熱交換器７を動作させる（Ｓ１１０４）。
【０１１５】
図１１に示すフローチャートによる制御により、結果的に、エアコン６及び全熱交換器７に関して図９に示すフローチャートと同様の動作が行われる。なお、冬季（暖房時）については説明を省略するが、夏季（冷房時）におけるステップＳ１１０２、Ｓ１１０３、Ｓ１１０４を、図１０のＳ１１０５、Ｓ１１０６、Ｓ１１０７に置き換えることにより、図１０に示すフローチャートによる動作と同様の動作が行われる。
【０１１６】
（実施形態４）
実施形態３の空気質調整システムでは、住居外の気温、住居内の気温、及び住居外の空気の汚染度に基づいてエアコン６及び全熱交換器７の運転を制御する。これに対し、本実施形態の空気質調整システムでは、住居外の空気の汚染度に代えて、住居内の空気の汚染度に基づいて、エアコン６及び全熱交換器７の運転を制御する。さらに、本実施形態の空気質調整システムでは、全熱交換器７の運転状態を、換気運転状態と、熱交換運転状態とに制御する。
【０１１７】
１．構成
実施形態４に係る空気質調整システムの構成は、実施形態２に係る空気質調整システムの構成と同じである。
【０１１８】
２．動作
図１２は、実施形態４に係る空気質調整システムのコントローラ１による夏季（冷房時）における制御動作を説明するフローチャートである。なお、ステップＳ１１００、Ｓ１１０１、Ｓ１１０２では、図９と同一の処理が行われる。
【０１１９】
そして、ステップＳ１１０２で住居外の気温が住居内の気温より高くない場合（Ｓ１１０２でＮｏのとき）、コントローラ１は、全熱交換器７を動作させる（Ｓ１１０４）。このとき、コントローラ１は、全熱交換器７に換気のための動作を行わせる。
【０１２０】
これに対し、ステップＳ１１０２で住居外気温が住居内の気温よりも高い場合（Ｓ１１０２でＹｅｓのとき）、コントローラ１は、記憶部１２から、住居内の空気の汚染度を読み出す（Ｓ１３００）。
【０１２１】
コントローラ１は、読み出した住居内の空気の汚染度が、所定値より小さいか否か判定する（Ｓ１３０１）。
【０１２２】
読み出した住居内の空気の汚染度が、所定値より小さい場合（Ｓ１３０１でＹｅｓのとき）、コントローラ１は、エアコン６を動作させる（Ｓ１１０３）。これに対し、住居内の空気の汚染度が、所定値より小さくない場合（Ｓ１３０１でＮｏのとき）、全熱交換器７を動作させる（Ｓ１３０２）。このとき、コントローラ１は、全熱交換器７に熱交換動作を行わせる。
【０１２３】
図１３は、実施形態４に係る空気質調整システムのコントローラ１による冬季（暖房時）における制御動作を説明するフローチャートである。
【０１２４】
コントローラ１は、ステップＳ１１００、Ｓ１１０１において、夏季（冷房時）同様、記憶部１２から、住居外の気温、及び住居内の気温を読み出す。
【０１２５】
コントローラ１は、住居外の気温が住居内の気温より高いか否か判定する（Ｓ１１０５）。
【０１２６】
ステップＳ１１２５で住居外の気温が住居内の気温より高い場合（Ｓ１１０５でＮｏのとき）、コントローラ１は、全熱交換器７を動作させる（Ｓ１１０７）。このとき、コントローラ１は、全熱交換器７に換気動作を行わせる。
【０１２７】
これに対し、ステップＳ１１０５で住居外の気温が住居内の気温よりも高くない場合（Ｓ１１０５でＹｅｓのとき）、コントローラ１は、記憶部１２から、住居内の空気の汚染度を読み出す（Ｓ１３００）。
【０１２８】
コントローラ１は、読み出した住居内の空気の汚染度が、所定値より小さいか否か判定する（Ｓ１３０１）。
【０１２９】
読み出した住居内の空気の汚染度が、所定値より小さい場合（Ｓ１３０１でＹｅｓのとき）、コントローラ１は、エアコン６を動作させる（Ｓ１１０６）。これに対し、住居内の空気の汚染度が、所定値より小さくない場合（Ｓ１３０１でＮｏのとき）、全熱交換器７を動作させる（Ｓ１３０３）。このとき、コントローラ１は、全熱交換器７に熱交換のための動作を行わせる。
【０１３０】
３．まとめ
本実施形態の空気質調整システムにおいて、内部空気質センサ５は、住居の内部の空気質として、さらに住居の内部の空気汚染度を検出し、コントローラ１は、内部空気質信号が示す住居の内部の空気汚染度が所定値より小さくないときは、全熱交換器７を運転する。
【０１３１】
本実施形態では、内部空気質信号が示す住居の内部の空気汚染度が所定値より小さくない場合、エアコン６の運転に代えて全熱交換器７を運転することにより、住居の外部の空気が取り入れられることとなる。そのため、住居内の気温の調整効果は減少するが、住居の内部の空気の汚染度を改善することができる。
【０１３２】
なお、本実施形態の空気質調整システムにおいても、コントローラ１は、外部空気質信号が示す外部空気質に関する情報及び当該住居の前記内部空気質センサ５から出力された当該内部空気質信号が示す内部空気質に関する情報を表示器４に表示させることができる。
【０１３３】
これにより、ユーザは、表示器４での表示により、外部空気質に関する情報及び内部空気質に関する情報を把握することができる。
【０１３４】
（付記）
実施形態１〜３は、空気質を表示する空気質表示システムにおける空気質表示方法を開示している。
すなわち、
空気質表示システムは、
集合住宅を構成する複数の住居で共有され、複数の住居の外部に配置された外部空気質センサ３と、
各住居の内部に配置された内部空気質センサ５と、
空気質に関する情報を表示器４に表示させるコントローラ１と、を備えたものである。
外部空気質センサ３において、
複数の住居の外部の空気質を検出して当該外部空気質を示す外部空気質信号を出力する。
内部空気質センサ５において、
各住居の内部の空気質を検出して当該内部空気質を示す内部空気質信号を出力する。
コントローラ１において、
外部空気質信号及び当該住居の内部空気質センサ５から出力された内部空気質信号を入力し、外部空気質信号が示す外部空気質に関する情報及び当該内部空気質信号が示す内部空気質に関する情報を表示器４に表示させる。
外部空気質信号は、集合住宅が備える集合住宅内ネットワーク２を介して各住居のコントローラ１に伝達される。
【０１３５】
また、実施形態２、３は、空気質を調整する空気質調整システムにおける空気質調整方法を開示している。
すなわち、
空気質調整システムは、
集合住宅を構成する複数の住居で共有され、複数の住居の外部に配置された外部空気質センサ３と、
各住居の内部に配置された内部空気質センサ５と、
全熱交換器７及びエアコン６の運転の制御を行うコントローラ１と、を備えたものである。
外部空気質センサ３において、
複数の住居の外部の空気質を検出して当該外部空気質を示す外部空気質信号を出力する。
内部空気質センサ５において、
各住居の内部の空気質を検出して当該内部空気質を示す内部空気質信号を出力する。
コントローラ１において、
外部空気質信号及び当該住居の内部空気質センサ５から出力された内部空気質信号を入力し、両信号に基づいて全熱交換器７及びエアコン６の運転の制御を行う。
外部空気質信号は、集合住宅が備える集合住宅内ネットワーク２を介して各住居のコントローラ１に伝達される。
【０１３６】
実施形態１〜３は、コントローラ１（情報処理装置（コンピュータ））に、空気質を表示する空気質表示システムにおける空気質表示方法を実行させるプログラムを開示している。
すなわち、
空気質表示システムは、
集合住宅を構成する複数の住居で共有され、複数の住居の外部に配置された外部空気質センサ３と、
各住居の内部に配置された内部空気質センサ５と、
空気質に関する情報を表示器４に表示させるコントローラ１と、を備えたものである。
外部空気質センサ３は、複数の住居の外部の空気質を検出して当該外部空気質を示す外部空気質信号を出力する。
内部空気質センサ５は、各住居の内部の空気質を検出して当該内部空気質を示す内部空気質信号を出力する。
空気質表示プログラムは、情報処理装置（コンピュータ）を、外部空気質信号及び当該住居の内部空気質センサ５から出力された内部空気質信号を入力し、外部空気質信号が示す外部空気質に関する情報及び当該内部空気質信号が示す内部空気質に関する情報を表示器４に表示させるコントローラ１として機能させる。
外部空気質信号は、集合住宅が備える集合住宅内ネットワーク２を介して各住居のコントローラ１に伝達される、
【０１３７】
また、実施形態２、３は、コントローラ１（情報処理装置（コンピュータ））に、空気質を調整する空気質調整システムにおける空気質調整方法を実行させる空気質調整プログラムを開示している。
すなわち、
空気質調整システムは、
集合住宅を構成する複数の住居で共有され、複数の住居の外部に配置された外部空気質センサ３と、
各住居の内部に配置された内部空気質センサ５と、
全熱交換器７及びエアコン６の運転の制御を行うコントローラ１と、を備えたものである。
外部空気質センサ３は、複数の住居の外部の空気質を検出して当該外部空気質を示す外部空気質信号を出力する。
内部空気質センサ５は、各住居の内部の空気質を検出して当該内部空気質を示す内部空気質信号を出力する。
空気質調整プログラムは、情報処理装置（コンピュータ）を、外部空気質信号及び当該住居の内部空気質センサ５から出力された内部空気質信号を入力し、両信号に基づいて全熱交換器７及びエアコン６の運転の制御を行うコントローラ１として機能させる。
外部空気質信号は、集合住宅が備える集合住宅内ネットワーク２を介して各住居のコントローラ１に伝達される。
【０１３８】
本発明の空気質表示方法及びプログラムは、各実施形態及びその変形例において具現化される。プログラムは、記憶媒体に記憶された状態で提供されるものであってもよい。
【符号の説明】
【０１３９】
１  コントローラ
１１  住居外通信部
１２  記憶部
１３  住居内通信部
２  集合住宅内ネットワーク
３  外部空気質センサ
３１  住居外通信部
３２  住居外温湿度計測部
３３  住居外空気汚染計測部
４  表示器
４１  住居内通信部
４２  表示部
５  内部空気質センサ
５１  住居内通信部
５２  住居内温湿度計測部
５３  住居内空気質汚染計測部
６  エアコン
６１  住居内通信部
６２  被制御部
７  全熱交換器
７１  住居内通信部
７２  被制御部
【図１】
2015152300.tif 000003
【図２】
2015152300.tif 000004
【図３】
2015152300.tif 000005
【図４】
2015152300.tif 000006
【図５】
2015152300.tif 000007
【図６】
2015152300.tif 000008
【図７】
2015152300.tif 000009
【図８】
2015152300.tif 000010
【図９】
2015152300.tif 000011
【図１０】
2015152300.tif 000012
【図１１】
2015152300.tif 000013
【図１２】
2015152300.tif 000014
【図１３】
2015152300.tif 000015